(57)【要約】【課題】商品が棚板の奥側（後側）から落下することを防止できると共に、仕切板の長さ寸法の変動の許容性を高めた陳列庫棚板を提供する。【解決手段】陳列庫棚板１０は、陳列庫の商品取出口へ向かって下り勾配で配設され商品が載置される棚板１２と、棚板１２の商品取出口側に形成された手前側係合孔１２Ａと、棚板１２の商品取出口の奥側に幅方向に渡って設けられ、上部に複数の溝部１４Ａが櫛状に形成された奥側落下防止板１４と、棚板１２の手前側係合孔１２Ａと奥側落下防止板１４の溝部１４Ａとに係合し棚板１２を幅方向に仕切る仕切板１６と、棚板１２の商品取出口側に幅方向に渡って設けられ、棚板１２からの商品の滑り落ちを防止する手前側落下防止板１８と、を有する。【選択図】図１
2020078476.tif 000002
【特許請求の範囲】
【請求項１】
陳列庫の商品取出口へ向かって下り勾配で配設され商品が載置される棚板と、
前記棚板の商品取出口側に形成された手前側係合孔と、
前記棚板の前記商品取出口と反対側となる奥側の端部に幅方向に渡って設けられ、上部に複数の溝部が櫛状に形成された奥側落下防止板と、
前記棚板の前記手前側係合孔と前記奥側落下防止板の前記溝部とに係合し前記棚板を幅方向に仕切る仕切板と、
前記棚板の前記商品取出口側に幅方向に渡って設けられ、前記棚板からの前記商品の滑り落ちを防止する手前側落下防止板と、
を有する陳列庫棚板。
【請求項２】
前記仕切板の商品取出口側下辺面には前記手前側係合孔へ差し込まれる差込片が突設され、前記差込片の先端側には前記手前側係合孔の孔縁下面と当接する爪部が形成されている請求項１に記載の陳列庫棚板。
【請求項３】
前記手前側落下防止板は、前記棚板から鉛直に起立するように設けられ、前記手前側落下防止板の上部は、前記棚板の前記奥側に屈曲している請求項１又は２に記載の陳列庫棚板。
【発明の詳細な説明】
【技術分野】
【０００１】
本発明は、陳列庫棚板に関する。
【背景技術】
【０００２】
スーパーやコンビニエンスストア等の販売店では、特許文献１に開示されたような陳列庫棚板（商品陳列ユニット）が使用され、陳列庫棚板の棚板（商品陳列ユニット本体）上には、例えば缶飲料やペットボトル等の各種の商品が載置される。特許文献１の陳列庫棚板では、載置される複数の商品は、買い物客から見て手前側から奥側（後側）に向かう方向（前後方向）に沿って配列される。
【０００３】
また、棚板上の商品の列と列との間に仕切板が設けられることによって、商品の列が、長手方向に直交する方向（幅方向）に複数並設される。特許文献１の陳列庫棚板では、仕切板は前方係合部及び後方係合部を有し、前方係合部及び後方係合部は、長手方向の両端の下部から、それぞれ下側に突出する。一方、棚板上では所定の位置に係合孔が設けられ、この係合孔に、仕切板の前方係合部及び後方係合部が差し込まれて嵌合することによって、仕切板が棚板に着脱自在に構成されている。
【０００４】
買い物の際、買い物客は、通常、棚板上のいずれかの商品の列において手前側から所望の商品を取り出す。特許文献１の場合、陳列庫棚板の商品取出口側（長手方向の前側）には、商品前方倒れ防止板が、棚板の上面の高さから起立するように設けられ、商品の前方への転倒防止が図られている。
【先行技術文献】
【特許文献】
【０００５】
【特許文献１】特許３１２６９４７号公報
【発明の概要】
【発明が解決しようとする課題】
【０００６】
商品が買い物客によって取り出され、その列の最前部或いは任意の中間部にスペースが生じると、自重で商品が奥側から手前側へスライドし、生じたスペースが商品で埋められる。しかし、買い物客が、一旦手にした商品を購入せず、元の列の中に戻す場合がある。商品を戻す際、棚板上に配列されている手前側の商品を奥側へ大きく押し戻すと、商品の列全体が奥側に移動し、棚板上に収まりきらない商品が奥側から落下することがある。
【０００７】
この点、特許文献１の場合、陳列庫棚板の手前側には商品前方倒れ防止板が設けられているが、陳列庫棚板の奥側には落下防止板は設けられていないため、奥側の商品が棚板の後側から落下し、破損或いは変形する恐れが大きい。陳列庫棚板の奥側に壁があれば、奥側からの落下を防止できるが、販売店の店内レイアウトの都合によっては、壁を設けられない場合もある。
【０００８】
また、陳列庫棚板の奥側に背板を配置して落下を防止することも考えられる。しかし、背板と仕切板とを係合させる構造にした場合、仕切板の長手方向（前後方向）寸法が変動すると、背板と仕切板の係合位置を合わせることが難しくなるという問題がある。具体的には、例えば、仕切板の素材が熱可塑性樹脂であって射出成型によって製造される場合、溶融樹脂の冷却時の収縮に起因して、長手方向の長さ寸法に変動が生じ得る。寸法の変動が一定値を超える製品は、棚板の背板への取付けが難しくなるため仕切板として出荷不可能であり、歩留まりの低下が生じる。
【０００９】
本発明は上記した問題に着目して為されたものであって、商品が棚板の奥側（後側）から落下することを防止できると共に、仕切板の長さ寸法の変動の許容性を高めた陳列庫棚板を提供することを目的とする。
【課題を解決するための手段】
【００１０】
本発明の第１の態様に係る陳列庫棚板は、陳列庫の商品取出口へ向かって下り勾配で配設され商品が載置される棚板と、棚板の商品取出口側に形成された手前側係合孔と、棚板の商品取出口と反対側となる奥側の端部に幅方向に渡って設けられ、上部に複数の溝部が櫛状に形成された奥側落下防止板と、棚板の手前側係合孔と奥側落下防止板の溝部とに係合し棚板を幅方向に仕切る仕切板と、棚板の商品取出口側に幅方向に渡って設けられ、棚板からの商品の滑り落ちを防止する手前側落下防止板と、を有する。
【００１１】
上記構成によれば、奥側落下防止板が、棚板の商品取出口の奥側（後側）に幅方向に渡って設けられているので、商品の列が商品取出口側（手前側）から奥側に押し込まれた場合であっても、最後列の商品は、奥側落下防止板に接触し、棚板の後側からの落下が防止される。また、仕切板は、手前側では棚板の手前側係合孔と係合し、奥側では奥側落下防止板の上部に形成された溝部と係合するので、仕切板の後端が、奥側落下防止板の後側へ突出する。すなわち、仕切板が手前側係合孔及び溝部間の長さを有する限り、長さ寸法が変動して後端の位置が変化したとしても、仕切板を安定して支持できる。
【００１２】
本発明の第２の態様に係る陳列庫棚板は、仕切板の商品取出口側下辺面には手前側係合孔へ差し込まれる差込片が突設され、差込片の先端側には手前側係合孔の孔縁下面と当接する爪部が形成されている。
【００１３】
上記構成によれば、仕切板に、手前側係合孔の孔縁下面と当接する爪部が先端側に形成された差込片が突設されているため、棚板と仕切板との一体性を高めることができる。また、陳列庫棚板の奥側から仕切板を、棚板に差し込んで取り付けることができる。
【００１４】
この点、特許文献１を含め従来の陳列庫棚板では、載置した商品の滑動性を良くするために通常ローラーが配設される場合があり、必然的に棚板がローラー直径以上の厚さが必要とされる。このため、仕切板に単純な突起を前後に設け、棚板にその突起に嵌合する孔を設けて仕切板の突起を差し込めば、少なくとも棚板の厚さだけ仕切板の突起が深く嵌合し、仕切板が安定した状態で立設される。一方、棚板が樹脂射出成形で製作されるような場合には、その厚さは、取扱いの簡便性や素材コスト軽減の目的で、載置される商品重量を支える必要最小限の厚さに薄くすることが望ましいとされる。このため、仕切板をそのような薄い棚板に設けた孔に単純に突起を嵌合させただけでは、仕切板が安定した状態で立設されない。
【００１５】
本発明の第３の態様に係る陳列庫棚板は、手前側落下防止板は、棚板から鉛直に起立するように設けられ、手前側落下防止板の上部は、棚板の奥側に屈曲している。
【００１６】
上記構成によれば、同じ高さの商品であっても、手前側落下防止板に支持される商品の手前側落下防止板より上側に突出する部分を大きくすることができる。このため、手前側落下防止板が同じ長さでありかつ屈曲せず平板状である場合と比べ、同じ高さの商品を、より安定して支持できる。また、手前側落下防止板の高さを低くすることが可能になるため、買い物客が、手前側落下防止板に邪魔されることなく、商品を把持して取り出し易くなる。
【発明の効果】
【００１７】
本発明に係る陳列庫棚板によれば、商品が棚板の奥側（後側）から落下することを防止できると共に、仕切板の長さ寸法の変動の許容性を高めた陳列庫棚板を提供できる。
【図面の簡単な説明】
【００１８】
【図１】本発明の実施形態に係る陳列庫棚板を、一部を切り欠いて示す斜視図である。
【図２】陳列庫棚板の組立て方法を説明する斜視図である。
【図３】陳列庫棚板の平面図である。
【図４】図３中の４−４線断面図である。
【図５】陳列庫棚板の仕切板の棚板への差し込み方法を説明する断面図である。
【図６】陳列庫棚板が配置された販売店内の状態を、一部を破断して説明する平面図である。
【図７】本実施形態に係る陳列庫棚板の使用方法を説明する側面図である（その１）。
【図８】本実施形態に係る陳列庫棚板の使用方法を説明する側面図である（その２）。
【図９】本実施形態に係る陳列庫棚板の使用方法を説明する側面図である（その３）。
【図１０】比較例に係る陳列庫棚板の使用方法を説明する側面図である。
【図１１】第１変形例に係る陳列庫棚板の断面図である。
【図１２】第１変形例に係る陳列庫棚板の平面図である。
【図１３】第２変形例に係る陳列庫棚板の側面図である。
【発明を実施するための形態】
【００１９】
以下に本発明の実施の形態を説明する。以下の図面の記載において、同一の部分及び類似の部分には、同一の符号又は類似の符号を付している。但し、図面は模式的なものであり、厚みと平面寸法との関係、各装置や各部材の厚みの比率等は現実のものとは異なる。したがって、具体的な厚みや寸法は以下の説明を参酌して判定すべきものである。また、図面相互間においても互いの寸法の関係や比率が異なる部分が含まれている。
【００２０】
＜陳列庫棚板の構造＞
まず、本発明の実施形態に係る陳列庫棚板１０の構造について、図１〜図５を参照して説明する。図１に示すように、陳列庫棚板１０は、棚板１２と、奥側落下防止板１４と、仕切板１６と、手前側落下防止板１８と、一対の側壁板部２０とを備える。なお、図１中では、見易さのため、手前側落下防止板１８の一部が切り欠かれて描かれている。
【００２１】
本実施形態では、図１中の左下側から右上側に向かう奥行方向を「長手方向」と定義すると共に、図１中の左右方向を「幅方向」と定義する。長手方向と幅方向とは直交する。本実施形態では、長手方向が、陳列庫棚板１０の前後方向に相当する。
【００２２】
陳列庫棚板１０の側壁板部２０は、棚板１２の幅方向の両端に設けられている。また、手前側落下防止板１８は、棚板１２の商品取出口側に幅方向に渡って設けられ、棚板１２からの商品４０Ａ〜４０Ｆの滑り落ちを防止する。手前側落下防止板１８は、棚板１２から鉛直に起立するように、下部が棚板１２に差し込まれて設けられている。また、手前側落下防止板１８の上部は、棚板１２の奥側に屈曲している。
【００２３】
棚板１２、奥側落下防止板１４、仕切板１６、手前側落下防止板１８及び側壁板部２０はいずれも、例えば樹脂等を素材として用いた射出成型によって作製できる。なお、本実施形態では、手前側落下防止板１８は、例えばアクリル等の透明素材で作製され、買い物客の視認性が高められているが、本発明ではこれに限定されるものではない。
【００２４】
棚板１２は、陳列庫３０（図６参照）の商品取出口へ向かって、下り勾配で配設され、上面上に商品４０Ａ〜４０Ｆが載置される。商品取出口は、図１中では手前側落下防止板１８が設けられている手前側に位置する。棚板１２の商品取出口側には、複数の手前側係合孔１２Ａが、幅方向に沿ってほぼ等間隔で形成されている。手前側係合孔１２Ａは、平面視で矩形状の貫通孔であり、長手方向に沿って矩形の長辺が延びるように設けられている。なお、図１中の手前側係合孔１２Ａの個数は例示であり、本発明では、個数は、適宜変更できる。
【００２５】
また、図２に示すように、棚板１２の奥側には、２個の後端係合孔１２Ｂが、幅方向に間隔を開けて形成されている。後端係合孔１２Ｂは、平面視で矩形状の貫通孔であり、幅方向に沿って矩形の長辺が延びるように設けられている。なお、本発明では、後端係合孔１２Ｂの個数は、２個に限定されず、適宜変更できる。
【００２６】
棚板１２の上面は、商品４０Ａ〜４０Ｆが摺動し易いように、表面の摩擦係数（静止摩擦係数及び動摩擦係数）が小さく抑えられている。具体的には、図示を省略するが、上面上に、長手方向に延出するリブが、複数並列して形成され、上面と商品４０Ａ〜４０Ｆとの接触面積が低減されている。また、商品４０Ａ〜４０Ｆを摺動し易くする方法として、表面の平滑処理や塗膜処理が、棚板１２の素材に応じて施されてもよい。
【００２７】
奥側落下防止板１４は、棚板１２の商品取出口と反対側となる奥側の端部に幅方向に渡って設けられ、上部には、複数の溝部１４Ａが、櫛状に形成されている。溝部１４Ａは、上側に開口すると共に長手方向に沿って貫通する。また、奥側落下防止板１４の下部には、２個の差込片１４Ｂが設けられている。差込片１４Ｂの図２中の右端側には、爪部１４Ｂ１が形成されている。
【００２８】
溝部１４Ａは、図３に示すように、手前側係合孔１２Ａに対応する位置に、幅方向に沿って複数並設されている。また、手前側において隣り合う手前側係合孔１２Ａ同士の間隔と、奥側における隣り合う溝部１４Ａ同士の間隔とは、同じである。すなわち、手前側係合孔１２Ａの個数と溝部１４Ａの個数とは、同じである。
【００２９】
図２に示したように、差込片１４Ｂの長手方向に測った厚みと、後端係合孔１２Ｂの長手方向に測った孔幅とは、ほぼ同じである。また、爪部１４Ｂ１を含めて幅方向に測った差込片１４Ｂの長さと、後端係合孔１２Ｂの幅方向に測った長さとは、ほぼ同じである。このため、差込片１４Ｂと後端係合孔１２Ｂとは、着脱自在に係合する。
【００３０】
また、爪部１４Ｂ１の上側で差込片１４Ｂの本体の下端との間には、隙間が形成されている。この隙間の上下方向の高さと棚板１２の厚みとは、ほぼ同じである。差込片１４Ｂを後端係合孔１２Ｂに鉛直に差し込み、爪部１４Ｂ１を棚板１２の下に突出させ、この状態のまま、奥側落下防止板１４を図２中の右側に向かって摺動させれば、爪部１４Ｂ１の上側の隙間に、後端係合孔１２Ｂの孔縁が、挟み込まれる。孔縁の下に位置する爪部１４Ｂ１によって奥側落下防止板１４の上下方向の移動が抑制されるため、奥側落下防止板１４と棚板１２との一体性が高められる。
【００３１】
仕切板１６は、棚板１２の手前側係合孔１２Ａと奥側落下防止板１４の溝部１４Ａとに係合し、棚板１２を幅方向に仕切る。仕切板１６の後端は、奥側落下防止板１４の奥側に突出するように溝部１４Ａに差し込まれて支持されている。
【００３２】
図４に示すように、仕切板１６の商品取出口側下辺面には、手前側係合孔１２Ａへ差し込まれる差込片１６Ａが突設され、差込片１６Ａの先端側には、手前側係合孔１２Ａの孔縁下面と当接する爪部１６Ａ１が形成されている。また、差込片１６Ａの後端面は、奥側から手前側に向かって高さが高くなるように、側面視で、傾斜している。
【００３３】
また、棚板１２の手前側係合孔１２Ａと接する孔縁の領域には、薄肉部１２Ａ１が設けられている。薄肉部１２Ａ１の上面は、周囲より低く、薄肉部１２Ａ１の上面と仕切板１６の前端との間には、隙間Ｄが形成されている。
【００３４】
差込片１６Ａの付け根部分の長手方向の長さは、手前側係合孔１２Ａの長手方向の長さとほぼ同じ長さＬＡである。また、差込片１６Ａの幅方向に測った厚みと手前側係合孔１２Ａの幅方向に測った幅とは、ほぼ同じである。このため、差込片１６Ａと手前側係合孔１２Ａとは、嵌合構造を用いて着脱自在に係合する。
【００３５】
差込片１６Ａを手前側係合孔１２Ａの内側に差し込む方法としては、図５に示すように、まず、仕切板１６の前端（図５中の左側）が後端（図５中の右側）より低くなるように、差込片１６Ａを傾斜させる。そして、差込片１６Ａの爪部１６Ａ１の上側の隙間Ｄに薄肉部１２Ａ１が差し込まれるように、仕切板１６を手前側係合孔１２Ａに近接させ、爪部１６Ａ１を薄肉部１２Ａ１に当接させる。そして、薄肉部１２Ａ１を中心として、仕切板１６の後端が棚板１２に近接するように仕切板１６を回転させる。ここで、仕切板１６の前端面の外縁は、側面視で滑らかな円弧状であるため、前端が薄肉部１２Ａ１の上側で回転する際、前端の棚板１２への干渉が回避される。
【００３６】
なお、本発明では、薄肉部１２Ａ１は必須ではなく、棚板１２の厚みが一様な領域と、この厚みに応じた高さの隙間が上側に形成されるように設けられた爪部１６Ａ１とを用いることによって、差込片１６Ａを回転させることもできる。
【００３７】
また、図４に示したように、仕切板１６の後端の下部には、切り欠き１６Ｂが設けられている。切り欠き１６Ｂは、矩形状であり、切り欠き１６Ｂより上側の仕切板１６の部分が、溝部１４Ａの内側に配置される。仕切板１６が、棚板１２の手前側係合孔１２Ａの前端と奥側落下防止板１４との間の長さＬ１を少なくとも有する限り、量産品の複数の仕切板１６に長さ寸法の変動が生じたとしても、奥側落下防止板１４によって支持することが可能である。
【００３８】
＜陳列庫棚板の使用方法＞
次に、本実施形態に係る陳列庫棚板１０の使用方法を、図６〜図１０を参照して説明する。まず、図６に示すように、陳列庫棚板１０は、販売店としてのコンビニエンスストア内に設置された陳列庫３０の内側に配置されている。
【００３９】
陳列庫３０内には、複数の柱３２が４本１組で立てられ、組をなす４本の柱３２の内側には、複数の陳列庫棚板１０が、上下方向に複数段取り付けられている。また、図示を省略するが、陳列庫３０内では、４本１組の柱３２が、図６中の上下方向に繰り返し配置されると共に、それぞれの組の４本の柱３２の内側には、図６中の中央の陳列庫棚板１０とは異なる陳列庫棚板１０が、複数段取り付けられている。
【００４０】
組をなす４本の柱３２は、平面視で矩形の４隅に位置するように配置され、４本の柱３２の内壁面には、板状の固定具３４がそれぞれ設けられている。図７に示すように、陳列庫棚板１０は、固定具３４が取り付けられた支持板３６を介して、下側から支持されている。図示を省略するが、固定具３４と柱３２とは、例えば雄ネジと雌ネジとを用いたネジ結合等の公知の方法で固定できる。同様に、固定具３４と支持板３６との間も、ネジ結合等の方法で固定できる。
【００４１】
図６に示したように、陳列庫棚板１０の手前側（図６中の左側）は、販売店の販売スペースＳに面し、販売スペースＳ側から陳列庫３０の扉３０Ａを開け、陳列庫棚板１０上に載置された商品４０Ａ〜４０Ｆを取り出すことができる。一方、陳列庫３０を挟んだ販売スペースＳと反対側の領域は、販売店のバックヤードＹであり、バックヤードＹには、商品４０Ｇを保管する在庫棚４２が設置されている。
【００４２】
すなわち、本実施形態の陳列庫棚板１０は、陳列庫棚板１０に商品４０Ａ〜４０Ｆの載置及び補充を行うために、従業員５０が内側に入り込む、いわゆる「ウォークイン冷蔵庫」内に配置されている。陳列庫３０は、冷蔵ケースであり、陳列庫３０の内部及びバックヤードＹは、空調装置４４によって一体的に温度管理されている。具体的には、例えば、４℃程度の低温状態が、維持されている。
【００４３】
次に、陳列庫棚板１０の使用方法を具体的に説明する。まず、図７に示したように、支持板３６は、手前側（図７中の左側）が奥側（図７中の右側）より低くなるように下り勾配で傾斜して柱３２に取り付けられ、傾斜した支持板３６の上に陳列庫棚板１０が載置されている。支持板３６の商品取出口側の前端には、中央側より高い壁部分が形成され、この壁部分に堰き止められることによって、陳列庫棚板１０が支持板３６の手前側から落下することが防止されている。また、陳列庫棚板１０の棚板１２上に配列可能な商品４０Ａ〜４０Ｆの最大個数は、６個に設定されている。
【００４４】
次に、図８に示すように、買い物客６０が、陳列庫棚板１０の手前側（図８中の左側）から最前列の商品４０Ａを取り出すと、棚板１２上に残された５個の商品４０Ｂ〜４０Ｆは、傾斜した棚板１２上を重力で摺動して、手前側落下防止板１８側に移動する。
【００４５】
次に、図９に示すように、買い物客６０が、一旦取り出した商品４０Ａを棚板１２に戻すため、陳列庫棚板１０の手前側から最前列の商品４０Ｂを奥側に押し込もうとしても、棚板１２の奥側（図９中の右側）には、奥側落下防止板１４が設けられている。このため、５個の商品４０Ｂ〜４０Ｆのうち最後列の商品４０Ｆが奥側落下防止板１４に突き当たり、奥側落下防止板１４より更に奥側には進行できない。また、奥側落下防止板１４から５個の一群の商品４０Ｂ〜４０Ｆに反力が加えられ、加えられた反力が、商品４０Ａを介して買い物客６０にも伝達され得る。このため、買い物客６０は、押し込みが困難であることを認識できる。
【００４６】
一方、図１０に示すように、比較例に係る陳列庫棚板１０Ｚの場合、棚板１２の奥側（図１０中の右側）に奥側落下防止板１４が設けられていないため、商品４０Ａが手前側から差し込まれると、列全体が奥側に向かって移動する。そして、棚板１２上に収まりきらない最後列の商品４０Ｆが、棚板１２の奥側から落下する。このため、従業員５０が落下した商品４０Ｆを拾い上げる手間がかかると共に、落下した商品４０Ｆに傷やへこみ等が生じ得る。
【００４７】
（作用効果）
本実施形態に係る陳列庫棚板１０によれば、奥側落下防止板１４が、棚板１２の商品取出口の奥側（後側）に幅方向に渡って設けられている。このため、商品４０Ｂ〜４０Ｆの列が商品取出口側（手前側）から奥側に押し込まれた場合であっても、最後列の商品４０Ｆは、奥側落下防止板１４に接触し、棚板１２の後側からの落下が防止される。
【００４８】
また、仕切板１６は、手前側では棚板１２の手前側係合孔１２Ａと係合し、奥側では奥側落下防止板１４の上部に形成された溝部１４Ａと係合するので、仕切板１６の後端が、奥側落下防止板１４の後側へ突出する。すなわち、仕切板１６が手前側係合孔１２Ａ及び溝部１４Ａ間の長さを有する限り、長さ寸法が変動して後端の位置が変化したとしても、仕切板１６を安定して支持できる。よって、商品４０Ｂ〜４０Ｆが棚板１２の奥側（後側）から落下することを防止できると共に、仕切板１６の長さ寸法の変動の許容性を高めた陳列庫棚板１０を提供できる。更に、樹脂射出成形で製作された棚板１２であっても仕切板１６を安定して立設できる。
【００４９】
また、本実施形態では、仕切板１６に、手前側係合孔１２Ａの孔縁下面と当接する爪部が先端側に形成された差込片が突設されているため、棚板１２と仕切板１６との一体性を高めることができる。更に、差込片１６Ａの付け根部分の長さと手前側係合孔１２Ａの長さとが同じ長さＬＡであると共に、差込片１６Ａの後端面は、側面視で奥側から手前側に向かって傾斜している。このため、陳列庫棚板１０の奥側から仕切板１６を棚板１２に差し込んで取り付けることが可能になるため、商品４０Ａ〜４０Ｆの入替時等、仕切り幅を変える作業を容易に行うことができる。
【００５０】
また、本実施形態では、手前側落下防止板１８は、棚板１２から鉛直に起立するように設けられている。また、手前側落下防止板１８の上部は、棚板１２の奥側に屈曲している。このため、棚板１２の上面に沿ってスライドする最前列の商品４０Ａに対し、手前側落下防止板１８の上端は、手前側落下防止板が同じ長さでありかつ屈曲せず平板状である場合と比べ、より堅固に突き当たり、同じ高さの商品４０Ａを安定して支持できる。また、商品４０Ａを安定して支持できることから、手前側落下防止板１８の高さを低くすることが可能になるため、同じ高さの商品４０Ａであっても、商品４０Ａの手前側落下防止板１８より上側に突出する部分を長く確保できる。このため、買い物客が、手前側落下防止板１８に邪魔されることなく、商品４０Ａを把持して取り出し易くなる。
【００５１】
＜第１変形例＞
図１１に示すように、第１変形例に係る陳列庫棚板１０Ａの棚板１２では、手前側係合孔１２Ａと後端との間に、仕切板１６を支持する中央係合孔１２Ｃ及び奥側係合孔１２Ｄが設けられている。また、仕切板１６の差込片１６Ａと後端との間に、中央差込片１６Ｃ及び奥側差込片１６Ｄが設けられている。
【００５２】
中央係合孔１２Ｃは、棚板１２の長手方向の中央に１個設けられ、中央係合孔１２Ｃには仕切板１６の中央差込片１６Ｃが差し込まれる。奥側係合孔１２Ｄは、棚板１２の長手方向の奥側（図１１中の右側）に２個設けられ、２個の奥側係合孔１２Ｄのそれぞれには、仕切板１６の２個の奥側差込片１６Ｄのうち、対応する奥側差込片１６Ｄが差し込まれる。
【００５３】
中央差込片１６Ｃ及び奥側差込片１６Ｄは、それぞれ、差込片１６Ａと同様に、仕切板１６の下部から下側に部分的に張り出すように設けられている。また、中央係合孔１２Ｃ及び奥側係合孔１２Ｄは、手前側係合孔１２Ａと同様に、棚板１２を厚み方向に貫通している。中央係合孔１２Ｃの長手方向の長さは、仕切板１６の寸法誤差が生じても、中央差込片１６Ｃが十分に差し込まれる隙間が確保されるように、中央差込片１６Ｃの長手方向の長さより長く設定されている。また、奥側係合孔１２Ｄの長手方向の長さも、同様に、奥側差込片１６Ｄの長手方向の長さより長く設定されている。
【００５４】
中央係合孔１２Ｃ、奥側係合孔１２Ｄ、中央差込片１６Ｃ及び奥側差込片１６Ｄ以外の陳列庫棚板１０Ａの構成については、本実施形態に係る陳列庫棚板１０の構成と等価であるため、重複説明を省略する。
【００５５】
中央係合孔１２Ｃ、奥側係合孔１２Ｄ、中央差込片１６Ｃ及び奥側差込片１６Ｄのように、手前側係合孔１２Ａ及び差込片１６Ａ以外の補助的な嵌合部を追加することによって、棚板１２と仕切板１６との一体性を更に高めることができる。第１変形例に係る陳列庫棚板１０Ａの他の作用効果については、本実施形態に係る陳列庫棚板１０の場合と同様である。
【００５６】
また、図１２に示すように、幅方向に並設される複数の手前側係合孔１２Ａは、長手方向の配置位置が、それぞれ異なってもよい。図１２中に例示した棚板１２の場合、幅方向（図１２中の上下方向）に隣り合って並設される３本の手前側係合孔１２Ａのそれぞれの前端の位置は、図１２中の上側から下側に向かうに従って、長手方向に一定距離、手前側に変位している。すなわち、３本の手前側係合孔１２Ａは、平面視で、斜行するように配置されている。
【００５７】
棚板１２の手前側では、斜行するように配置された３本の手前側係合孔１２Ａを単位パターンとし、この単位パターンが幅方向に繰り返して形成されている。同様に、棚板１２の中央では、３本の中央係合孔１２Ｃが平面視で、斜行するように配置され、この単位パターンが、幅方向に繰り返して形成されている。
【００５８】
また、棚板１２の奥側では、平面視で、３本の奥側係合孔１２Ｄが斜行するように配置され、この単位パターンが、幅方向に繰り返して形成されている。図１２に示した手前側係合孔１２Ａ、中央係合孔１２Ｃ及び奥側係合孔１２Ｄのように、複数の係合孔を長手方向に位置をずらして配置することによって、それぞれの係合孔に対応する差し込み爪を幅方向で近接して隣り合う異なる係合孔に、間違えて差し込むことを防止できる。
【００５９】
＜第２変形例＞
図７に示したように、本実施形態に係る陳列庫棚板１０の手前側落下防止板１８は、１枚の板状部材が幅方向全体に亘って一定の高さにおいて１回折り曲げられて、上部が屈曲するように構成されていた。しかし、図１３に示すように、手前側落下防止板１８Ａは、下部から上部に亘って滑らかなＲ形状を有して湾曲することによって、棚板１２の奥側に屈曲するように構成されてもよい。すなわち、手前側落下防止板１８Ａは、側面視で円弧状である。第２変形例に係る陳列庫棚板１０Ｂの手前側落下防止板１８Ａにおいても、下部は、棚板１２から鉛直に起立するように設けられている。手前側落下防止板１８Ａ以外の陳列庫棚板１０Ｂの構成については、本実施形態に係る陳列庫棚板１０の構成と等価であるため、重複説明を省略する。
【００６０】
第２変形例においても、手前側落下防止板１８Ａの上部が屈曲している。このため、棚板１２の上面に沿ってスライドする最前列の商品４０Ａに対し、手前側落下防止板１８Ａの上端は、手前側落下防止板が同じ長さでありかつ屈曲せず平板状である場合と比べ、より堅固に突き当たり、同じ高さの商品４０Ａを安定して支持できる。また、商品４０Ａの手前側落下防止板１８Ａより上側に突出する部分を長く確保することができ、買い物客が、手前側落下防止板１８Ａに邪魔されることなく、商品４０Ａを把持して取り出し易くなる。第２変形例に係る陳列庫棚板１０Ｂの他の作用効果については、本実施形態に係る陳列庫棚板１０の場合と同様である。
【００６１】
＜その他の実施形態＞
本発明は上記の開示した実施の形態によって説明したが、この開示の一部をなす論述及び図面は、本発明を限定するものであると理解すべきではない。例えば、本実施形態では、陳列庫棚板１０が配置される陳列庫３０は冷蔵ケースであったが、本発明では、陳列庫棚板１０は、冷蔵ケースに限定されず、常温下であっても高温下であっても配置可能である。
【００６２】
また、本実施形態では、商品４０Ａ〜４０Ｆが載置される棚板１２の上面には、長手方向に延出するリブが、複数並列して形成されていたが、本発明ではこれに限定されず、例えば、上面が平坦であってもよい。また、図示を省略するが、棚板１２の上部に幅方向に沿って延びる回転軸と、この回転軸に取り付けられて回転軸と共に回転するローラーによって、下側から商品４０Ａ〜４０Ｆを長手方向に沿って送り出してもよい。
【００６３】
また、本実施形態では、棚板１２と奥側落下防止板１４との嵌合構造として、棚板１２に凹部として後端係合孔１２Ｂが設けられ、奥側落下防止板１４に凸部として差込片１４Ｂが設けられていたが、嵌合構造は、これに限定されない。奥側落下防止板１４の下部に凹部（図示省略）が設けられ、棚板１２の上面に上側に突出する凸部（図示省略）が設けられてもよい。同様に、棚板１２と仕切板１６との嵌合構造においても、凹部と凸部とが、本実施形態の場合と反対に設けられてよい。
【００６４】
また、陳列庫棚板１０の側壁板部２０は必須ではなく、側壁板部２０は、長手方向で隣り合う柱３２間に架け渡された壁部材のような他の部材によって実現されてもよい。また、本実施形態では、棚板１２上に配列可能な商品４０Ａ〜４０Ｆの最大個数として６個の場合が例示されたが、本発明ではこれに限定されない。最大個数は、棚板１２の長手方向の長さや商品４０Ａ〜４０Ｆの寸法に応じて適宜変化して設定できる。
【００６５】
また、図１〜図１３中に示したそれぞれの陳列庫棚板の構成を部分的に組み合わせても、本発明を実現できる。本発明は、上記に記載していない様々な実施の形態等を含むと共に、本発明の技術的範囲は、上記の説明から妥当な特許請求の範囲の発明特定事項によってのみ定められるものである。
【符号の説明】
【００６６】
１０，１０Ａ，１０Ｂ  陳列庫棚板
１２  棚板
１２Ａ  手前側係合孔
１４  奥側落下防止板
１４Ａ  溝部
１６  仕切板
１６Ａ  差込片
１６Ａ１  爪部
１８，１８Ａ  手前側落下防止板
３０  陳列庫
４０Ａ〜４０Ｇ  商品
【図１】
2020078476.tif 000003
【図２】
2020078476.tif 000004
【図３】
2020078476.tif 000005
【図４】
2020078476.tif 000006
【図５】
2020078476.tif 000007
【図６】
2020078476.tif 000008
【図７】
2020078476.tif 000009
【図８】
2020078476.tif 000010
【図９】
2020078476.tif 000011
【図１０】
2020078476.tif 000012
【図１１】
2020078476.tif 000013
【図１２】
2020078476.tif 000014
【図１３】
2020078476.tif 000015